【手続補正書】
【提出日】平成31年4月26日(2019.4.26)
【手続補正１】
【補正対象書類名】特許請求の範囲
【補正対象項目名】全文
【補正方法】変更
【補正の内容】
【特許請求の範囲】
【請求項１】
画像を生成するための装置であって、
照明を生成するよう構成された撮像装置と、
前記照明によって照明されるサンプルを保持するよう構成されたサンプルステージ（８０４）であって、前記サンプルステージは撮像工程中に前記サンプルを複数の位置に移動させるよう構成されている、サンプルステージ（８０４）と
を備え、
前記装置は、
前記サンプルステージに結合された振動機構（８０２）であって、前記振動機構（８０２）は、ステージが前記サンプルを移動させた後に振動期間の間前記ステージを振動させるよう構成されている、振動機構（８０２）
をさらに備えることを特徴とする、装置。
【請求項２】
前記振動機構（８０２）はモータである、請求項１に記載の装置。
【請求項３】
前記モータは、１千回転／分より大きい回転速度に達し得、好ましくは、前記モータは、２千回転／分より大きい回転速度に達し得る、請求項２に記載の装置。
【請求項４】
前記撮像装置は、
照明源（１０２）と、
前記照明源（１０２）からの照明を、これがピンホールマスク（１０８）を透過する後に無限空間に集束するよう構成された、ピンホール光学系（１０６）と、
前記照明をサンプル（１１４）に反射するよう構成されたリフレクタ（１１０）と、
照明されると、前記照明されたサンプルからの放射のみがセンサ（１２０）を透過することを可能にするように構成された、１つ以上のフィルタを含むフィルタ装置（１１８）と
を備える、請求項１に記載の装置。
【請求項５】
筐体（８０６）をさらに備え、前記照明源（１０２）、ピンホール光学系（１０６）、リフレクタ（１１０）、およびフィルタ装置（１１８）が全て前記筐体内に含まれる、請求項４に記載の装置。
【請求項６】
前記筐体（８０６）は、前記装置がイメージングシステム内に設置されることを可能にするよう構成された取り付け機構を備える、請求項５に記載の装置。
【請求項７】
複数の撮像装置が前記イメージングシステム内に設置されることを可能にするよう構成された取り付け機構をさらに備える、請求項６に記載の装置。
【請求項８】
前記振動機構（８０２）は、前記ステージ（８０４）が前記サンプルを移動させる度に前記振動機構が前記ステージを前記振動期間の間振動させるよう、撮像制御モジュール（４０２）によって制御されるよう構成される、請求項１に記載の装置。
【請求項９】
画像を生成するためのシステムであって、
撮像制御モジュール（４０２）と、
照明を生成するよう構成された撮像装置と、
前記照明によって照明されるサンプルを保持するよう構成されたサンプルステージ（８０４）であって、前記サンプルステージ（８０４）は撮像工程中に前記サンプルを複数の位置に移動させるよう構成されている、サンプルステージ（８０４）と
を備え、
前記システムは、
前記サンプルステージ（８０４）に結合された振動機構（８０２）であって、前記振動機構（８０２）は、前記ステージが前記サンプルを移動させた後に前記ステージ（８０４）を前記振動期間の間振動させるよう構成されており、前記振動機構（８０２）は、前記ステージ（８０４）が前記サンプルを移動させた後に前記振動機構（８０２）が前記ステージを前記振動期間の間振動させるように、前記撮像制御モジュール（４０２）によって制御されるよう構成される、振動機構（８０４）
をさらに備えることを特徴とする、システム。
【請求項１０】
前記振動機構（８０２）はモータである、請求項９に記載のシステム。
【請求項１１】
前記モータは、１千回転／分より大きい回転速度に達し得、好ましくは、前記モータは、２千回転／分より大きい回転速度に達し得る、請求項１０に記載のシステム。
【請求項１２】
前記撮像装置は、
照明源（１０２）と、
前記照明源（１０２）からの照明を、これがピンホールマスク（１０８）を透過する後に無限空間に集束するよう構成された、ピンホール光学系（１０６）と、
前記照明をサンプルに反射するよう構成されたリフレクタ（１１０）と、
照明されると、前記照明されたサンプルからの放射のみがセンサ（１２０）を透過することを可能にするように構成された、１つ以上のフィルタを含むフィルタ装置（１１８）と
を備える、請求項９に記載のシステム。
【請求項１３】
筐体（８０６）をさらに備え、前記照明源（１０２）、ピンホール光学系（１０６）、リフレクタ（１１０）およびフィルタ装置（１１８）は全て、前記筐体（８０６）内に含まれる、請求項１２に記載のシステム。
【請求項１４】
前記筐体（８０６）は、前記装置がイメージングシステム内に設置されることを可能にするよう構成された取り付け機構を備える、請求項１３に記載のシステム。
【請求項１５】
複数の撮像装置が前記イメージングシステム内に設置されることを可能にするよう構成された取り付け機構をさらに備える、請求項１４に記載のシステム。
【手続補正２】
【補正対象書類名】明細書
【補正対象項目名】００１４
【補正方法】変更
【補正の内容】
【００１４】
別の態様によると、合成共焦点画像を生成するためのシステムは、撮像制御モジュール、照明を生成するよう構成された撮像装置、照明によって照明されるサンプルを保持するよう構成されたサンプルステージ、ここで照明はサンプルに、検出可能であってかつサンプルを撮像するのに使用可能な放射を生成させ、サンプルステージは撮像工程中にサンプルを複数の位置に移動させるよう構成されており、さらに、サンプルステージに結合された振動機構、を備え、モータが、ステージがサンプルを移動させた後に振動期間の間ステージを振動させるよう構成されており、振動機構は、ステージがサンプルを移動させる度に振動機構が振動期間の間ステージを振動させるように、撮像制御モジュールによって制御されるよう構成される。
本発明は、例えば、以下を提供する。
（項目１）
合成共焦点画像を生成するための装置であって、
照明を生成するよう構成された撮像装置と、
前記照明によって照明されるサンプルを保持するよう構成されたサンプルステージと、ここで前記照明は前記サンプルに、検出可能であってかつ前記サンプルを撮像するのに使用可能な放射を生成させ、前記サンプルステージは撮像工程中に前記サンプルを複数の位置に移動させるよう構成されており、
前記サンプルステージに結合された振動機構と、を備え、モータが、ステージが前記サンプルを移動させた後に振動期間の間前記ステージを振動させるよう構成されている、装置。
（項目２）
前記振動機構はモータである、項目１に記載の装置。
（項目３）
前記モータは、１千回転／分より大きい回転速度に達し得る、項目２に記載の装置。
（項目４）
前記モータは、２千回転／分より大きい回転速度に達し得る、項目２に記載の装置。
（項目５）
前記撮像装置は、
照明源と、
前記照明源からの照明を、これがピンホールマスクを透過する後に無限空間に集束するよう構成された、ピンホール光学系と、
前記照明をサンプルに反射するよう構成されたリフレクタと、
照明されると、前記照明されたサンプルからの放射のみがセンサを透過することを可能にするように構成された、１つ以上のフィルタを含むフィルタ装置と、を備える、項目１に記載の装置。
（項目６）
筐体をさらに備え、前記照明源、ピンホール光学系、リフレクタ、およびフィルタ装置が全て前記筐体内に含まれる、項目５に記載の装置。
（項目７）
前記筐体は、前記装置がイメージングシステム内に設置されることを可能にするよう構成された取り付け機構を備える、項目６に記載の装置。
（項目８）
複数の撮像装置が前記イメージングシステム内に設置されることを可能にするよう構成された取り付け機構をさらに備える、項目７に記載の装置。
（項目９）
前記振動機構は、前記ステージが前記サンプルを移動させる度に前記振動機構が前記ステージを前記振動期間の間振動させるよう、撮像制御モジュールによって制御されるよう構成される、項目１に記載の装置。
（項目１０）
合成共焦点画像を生成するためのシステムであって、
撮像制御モジュールと、
照明を生成するよう構成された撮像装置と、
前記照明によって照明されるサンプルを保持するよう構成されたサンプルステージと、ここで前記照明は前記サンプルに、検出可能であってかつ前記サンプルを撮像するのに使用可能な放射を生成させ、前記サンプルステージは撮像工程中に前記サンプルを複数の位置に移動させるよう構成されており、
前記サンプルステージに結合された振動機構と、を備え、モータが、前記ステージが前記サンプルを移動させた後に前記ステージを前記振動期間の間振動させるよう構成されており、前記振動機構は、前記ステージが前記サンプルを移動させる度に前記振動機構が前記ステージを前記振動期間の間振動させるように、前記撮像制御モジュールによって制御されるよう構成される、システム。
（項目１１）
前記振動機構はモータである、項目１０に記載の装置。
（項目１２）
前記モータは、１千回転／分より大きい回転速度に達し得る、項目１１に記載の装置。
（項目１３）
前記モータは、２千回転／分より大きい回転速度に達し得る、項目１１に記載の装置。
（項目１４）
前記撮像装置は、
照明源と、
前記照明源からの照明を、これがピンホールマスクを透過する後に無限空間に集束するよう構成された、ピンホール光学系と、
前記照明をサンプルに反射するよう構成されたリフレクタと、
照明されると、前記照明されたサンプルからの放射のみがセンサを透過することを可能にするように構成された、１つ以上のフィルタを含むフィルタ装置と、を備える、項目１０に記載の装置。
（項目１５）
筐体をさらに備え、前記照明源、ピンホール光学系、リフレクタおよびフィルタ装置は全て、前記筐体内に含まれる、項目１４に記載の装置。
（項目１６）
前記筐体は、前記装置がイメージングシステム内に設置されることを可能にするよう構成された取り付け機構を備える、項目１５に記載の装置。
（項目１７）
複数の撮像装置が前記イメージングシステム内に設置されることを可能にするよう構成された取り付け機構をさらに備える、項目１６に記載の装置。